(57)【要約】【課題】胸パッド本体に複数の通気孔を設置することで対流（通気）作用を生じる通気性に優れた胸パッドを提供する。【解決手段】通気性に優れた胸パッドは、幾何学形状輪廓を呈するフレキシブル本体１００で、本体１００は基層１０と少なくとも１個の包覆層２０の組合せで、包覆層２０はファブリックを採用し、基層１０上を包み、基層１０には複数の通気孔１３を設置し、これにより気流は本体１００と外部、或いは着用者との間で対流（通気）作用を生じ、従来の胸パッドの通気性が劣るという状況を改善することができる。【選択図】図３
0003179578.tif 000002
【実用新案登録請求の範囲】
【請求項１】
通気性に優れた胸パッドは、幾何学形状輪廓を呈するフレキシブル本体を備え、
前記本体は、基層と少なくとも１個の包覆層の組合せで、
前記基層は、第一面と第二面を備え、
前記包覆層は、ファブリックである基層上を包み、
前記基層には、複数の通気孔を設置し、前記通気孔は、第一面と第二面を貫通する形態を形成し、これにより前記本体と外部との間には、対流ルートを形成することを特徴とする通気性に優れた胸パッド。
【請求項２】
前記複数の通気孔は、格子状配列形態を形成し、前記基層上に配置することを特徴とする請求項１に記載の通気性に優れた胸パッド。
【請求項３】
前記包覆層は、前記基層の第一面上を包んで覆うことを特徴とする請求項１に記載の通気性に優れた胸パッド。
【請求項４】
前記包覆層は、前記基層の第二面上を包んで覆うことを特徴とする請求項１に記載の通気性に優れた胸パッド。
【請求項５】
前記包覆層は、前記基層の第一面と第二面上を包んで覆うことを特徴とする請求項１に記載の通気性に優れた胸パッド。
【請求項６】
前記本体は、アンダーウェア上に形成する開口を経由して、アンダーウェア内面に挿入することを特徴とする請求項１に記載の通気性に優れた胸パッド。
【請求項７】
前記基層は、スポンジであることを特徴とする請求項１に記載の通気性に優れた胸パッド。
【考案の詳細な説明】
【技術分野】
【０００１】
本考案は通気性に優れた胸パッドに関し、特に胸パッド本体に複数の通気孔を設置し、対流（通気）作用を生じる通気性に優れた胸パッドに関する。
【背景技術】
【０００２】
ファブリックを用い乳房を包み、支えるアンダーウェア或いはブラジャーは、従来の技術である。
視覚的美観を向上させ、形を整え、或いは乳房の下垂、広がりの状況を改善するため、従来の技術でも、胸パッドをアンダーウェア或いはブラジャーに組合せ、乳房を支え、中心に集める構造が開発されている。
【０００３】
特許文献１の「豊胸パッド」、特許文献２「改良型胸パッド」、特許文献３「胸パッド改良構造」は、典型的な実施例を開示する。
上記した従来の構造では、胸パッド本体表面に、摩擦係数が高い軟質樹脂製の胸パッド構造を設置し、使用者着用時の滑り止め効果を向上させている。
また別の実施例として、特許文献４「滑り止め効果を備える胸パッド及び胸パッドを備えるブラジャー」がある。
【０００４】
しかし、従来の胸パッド構造には、着用において、課題がある。
それは、薄膜により製造する袋体内にスポンジ或いはシリコン等材質を充填し、袋体表面と着用者の皮膚とは、緊密な密着或いはカバー形態を形成するため、着用者の局部区域が蒸れて暑くなり、不快な状況を招くことである。
【０００５】
上記した特許文献は、胸パッド或いはそれと関連する構成部材の使用と構造設計における状況を示している。
本体構造、及び上記した応用状況に鑑み、胸パッドを新たに設計することができれば、従来の構造とは違うようにその使用形態を変え、応用範囲等の手段を拡大することができる。
これにより、胸パッド本体は、視覚的美観を向上させることができ、使用者のニーズを満たしながら、胸パッド構造に、従来の技術に比べて優れ、理想的な通気性を持たせ、シンプルな構造とすることができる。
本考案は、従来の胸パッドの上記した欠点に鑑みてなされたものである
【先行技術文献】
【特許文献】
【０００６】
【特許文献１】中華民国特許第８９１１１８１９号
【特許文献２】中華民国特許第９５２０６２１１号
【特許文献３】中華民国特許第９６２１５７９０号
【特許文献４】中華民国特許第９６２０１４９７号
【考案の概要】
【考案が解決しようとする課題】
【０００７】
本考案が解決しようとする課題は、従来の胸パッドの通気性が劣るという状況を改善し、胸パッドは、基層と少なくとも１個の包覆層の組合せを備え、フレキシブル本体を構成し、本体には幾何学形状輪廓を形成し、基層には、スポンジ或いはそれに類似する材料を選択し、包覆層は、基層上を包んで覆い、基層には複数の通気孔を設置し、これにより気流は本体と外部、或いは着用者との間で対流（通気）作用を生じる通気性に優れた胸パッドを提供することである。
【課題を解決するための手段】
【０００８】
上記課題を解決するため、本考案は下記の通気性に優れた胸パッドを提供する。
通気性に優れた胸パッドの基層は、第一面、第二面からなり、該通気孔は、該第一面と該第二面を貫通する形態で、該包覆層は、ファブリックを採用し、該基層の第一面と第二面上を包んで覆い、これにより、該包覆層は、該基層通気孔との間に、気流対流作用を形成することができる。
【考案の効果】
【０００９】
本考案の通気性に優れた胸パッドは、基層に複数の通気孔と複合包覆層を配置する構造形態により、基層と包覆層との間には気流対流（通気）ルートを形成し、従来の技術に比べ、理想的な通気効果を達成し、従来の構造において、着用者が蒸れて暑くなり、不快を感じる状況を改善することができる。
【図面の簡単な説明】
【００１０】
【図１】本考案の外観構造模式図である。
【図２】本考案の別種の外観構造模式図である。
【図３】基層通気孔の配置形態と包覆層が基層第一面と第二面を覆う状況を示す本考案の構造分解模式図である。
【図４】本考案とアンダーウェア組合せ使用の実施例模式図である。
【考案を実施するための形態】
【００１１】
以下に図面を参照しながら本考案を実施するための最良の形態について詳細に説明する。
【実施例】
【００１２】
図２、３に示すように、本考案の通気性に優れた胸パッドは、幾何学形状輪廓を呈するフレキシブル本体（すべて符号１００で表示する）を備える。
本体１００は、基層１０と少なくとも１個の包覆層２０の組合せである。
【００１３】
実際には、基層１０には、スポンジ或いはそれに類似する材料を選択する。
包覆層２０は、基層１０上を包んで覆う。
基層１０には、複数の通気孔１３を設置し、これにより気流は、本体１００と外部、或いは着用者との間で、対流（通気）作用を生じることができる。
【００１４】
実施例中では、包覆層２０は、ファブリックを採用し、基層１０上を包んで覆う。
基層１０は、第一面１１、第二面１２からなる。
通気孔１３は、第一面１１と第二面１２貫通する形態を形成する。
実施例中では、複数の通気孔１３は、格子状配列に類似の形態を形成し、基層１０上に配置する。
【００１５】
図１〜３に示すように、包覆層２０は、基層１０の第一面１１と第二面１２上をそれぞれ覆う。
よって、包覆層２０は、基層１０通気孔１３との間に、気流対流作用を形成することができる。
【００１６】
図４に示すように、胸パッド或いは本体１００は、スポーツ用アンダーウェア３０（或いはブラジャー）上に形成する開口３１から、アンダーウェア３０内面に挿入し、使用に供する。
本体１００の基層１０通気孔１３と包覆層２０との間にも、対流作用を生じるため、着用使用時には、アンダーウェア３０と着用者との間に生じる熱気流は、包覆層２０と基層１０通気孔１３とにより形成される対流ルートを経て外部へと排出される。
これにより、使用者は、従来の構造におけるように、蒸れて暑くなり、或いは不快に感じる状況に陥ることはない。
【００１７】
上記したように、本考案通気性に優れた胸パッドは、使用者のニーズを満たしながら、従来の構造に比べ、以下のような長所を備えている。
１．本体１００或いはそれと関連する構成部材（基層１０、通気孔１３、包覆層２０等）は、使用と構造設計、組合せ関係において、新たに設計されており、従来の構造とは異なり、しかもその使用形態と応用範囲も、従来の構造とは異なり、実質的に、構造がシンプルで、使用者の視覚的美観を向上させる作用を備える。
２．基層１０に複数の通気孔１３と複合包覆層２０を配置する構造形態により、基層１０と包覆層２０との間には気流対流（通気）ルートを形成し、従来の技術に比べ、理想的な通気効果を達成し、従来の構造において、着用者が蒸れて暑くなり、不快を感じる状況を改善することができる。
【００１８】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【００１９】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００２０】
１００  本体
１０    基層
１１    第一面
１２    第二面
１３    通気孔
２０    包覆層
３０    アンダーウェア
３１    開口
【図１】
0003179578.tif 000003
【図２】
0003179578.tif 000004
【図３】
0003179578.tif 000005
【図４】
0003179578.tif 000006